(57)【要約】【課題】小型、低コスト、簡単な構成でありながら、良好な視認性及び操作性を確保する。【解決手段】押しボタンユニットＵＢは、ランプハウス３０に拡散シート２０及びボタン体１０を取り付けて構成される。基板６０には、端子用穴６０ａ、６０ｂ、ガイド用穴６０ｃが設けられ、スイッチユニットＵＳとＬＥＤ４０とが隣接配置される。ランプハウス３０のガイドピン３０ｄはガイド用穴６０ｃに挿通され、嵌着部３０ｃの嵌合穴３０ｃａにユニットＵＳの被駆動部５２の頭部５２ａが嵌着保持される。押下操作部１０ｂが押下されると、押しボタンユニットＵＢが被駆動部５２と連動動作する。往復動作時には、ガイド用穴６０ｃ内をガイドピン３０ｄが摺動すると共に、ガイドリブ３０ｅの摺接面３０ｅａが垂直面５１ａと摺接することで、押しボタンユニットＵＢの動作がガイドされる。【選択図】      図２
2004165143.tif 000002
【特許請求の範囲】
【請求項１】
ガイド用穴が形成された基板と、
前記基板に対して固定的に設けられ、駆動されて往復動作する被駆動部を有するスイッチユニットと、
前記スイッチユニットに隣接して前記基板に対して固定的に設けられた発光部と、
前記スイッチユニットを駆動操作するための押しボタンユニットとを有し、
前記押しボタンユニットは、前記発光部に対向する対向部と、前記対向部に対応して設けられ、押下操作されると共に前記発光部からの光を通過させる押下操作部と、前記スイッチユニットの被駆動部と結合状態となって前記被駆動部と当該押しボタンユニットとの往復動作を連動させる結合部と、前記基板のガイド用穴に挿通され、前記ガイド用穴と協働して当該押しボタンユニットの往復動作時のガイド機能を果たすガイドピンとを有することを特徴とする照光式スイッチの構造。
【請求項２】
前記スイッチユニットは、前記基板に略垂直な垂直面を有すると共に、前記押しボタンユニットは、前記押しボタンユニットの往復動作時に前記スイッチユニットの前記垂直面に摺接する摺接部をさらに有し、前記垂直面と前記摺接部とが協働して前記ガイド用穴及び前記ガイドピンと共に前記押しボタンユニットの往復動作時のガイド機能を果たすように構成されたことを特徴とする請求項１記載の照光式スイッチの構造。
【請求項３】
ガイド用穴が形成された基板に対して固定的に設けられ、駆動されて往復動作する被駆動部を有するスイッチユニットを駆動操作するための照光式スイッチ用の押しボタンユニットであって、
前記スイッチユニットに隣接して前記基板に対して固定的に設けられた発光部に対向する対向部と、
前記対向部に対応して設けられ、押下操作されると共に前記発光部からの光を通過させる押下操作部と、
前記スイッチユニットの被駆動部と結合状態となって前記被駆動部と当該押しボタンユニットとの往復動作を連動させる結合部と、
前記基板のガイド用穴に挿通され、前記ガイド用穴と協働して当該押しボタンユニットの往復動作時のガイド機能を果たすガイドピンとを有することを特徴とする照光式スイッチ用の押しボタンユニット。
【請求項４】
当該押しボタンユニットの往復動作時に、前記基板に略垂直な前記スイッチユニットの垂直面に摺接する摺接部をさらに有し、該摺接部が前記垂直面と協働して前記ガイド用穴及び前記ガイドピンと共に当該押しボタンユニットの往復動作時のガイド機能を果たすように構成されたことを特徴とする請求項３記載の照光式スイッチ用の押しボタンユニット。
【請求項５】
ガイド部が設けられた基板と、
前記基板に対して固定的に設けられ、駆動されて往復動作する被駆動部を有するスイッチユニットと、
前記スイッチユニットに隣接して前記基板に対して固定的に設けられた発光部と、
前記スイッチユニットを駆動操作するための押しボタンユニットとを有し、
前記押しボタンユニットは、前記発光部に対向する対向部と、前記対向部に対応して設けられ、押下操作されると共に前記発光部からの光を通過させる押下操作部と、前記スイッチユニットの被駆動部と結合状態となって前記被駆動部と当該押しボタンユニットとの往復動作を連動させる結合部と、前記基板のガイド部と係合し、前記ガイド部と協働して当該押しボタンユニットの往復動作時のガイド機能を果たすガイド部係合部とを有することを特徴とする照光式スイッチの構造。
【請求項６】
前記ガイド部係合部はガイドピンを有し、前記ガイド部は、前記ガイド部係合部の前記ガイドピンの長手方向に延設され該ガイドピンが挿通される挿通穴を有して、前記基板とは別体で構成され、該基板に対して固定的にされることを特徴とする請求項５記載の照光式スイッチの構造。
【請求項７】
ガイド部が設けられた基板と、
前記基板に対して固定的に設けられ、駆動されて往復動作する被駆動部を有するスイッチユニットと、
前記スイッチユニットに隣接して前記基板に対して固定的に設けられた発光部と、
前記スイッチユニットを駆動操作するための押しボタンユニットとを有し、
前記押しボタンユニットは、
前記発光部に対向する対向部、前記スイッチユニットの被駆動部と結合状態となって前記被駆動部と当該押しボタンユニットとの往復動作を連動させる結合部、及び、前記基板のガイド部と係合し前記ガイド部と協働して当該押しボタンユニットの往復動作時のガイド機能を果たすガイド部係合部を含んで一体に形成される押しボタンユニット本体部と、
押下操作されると共に前記発光部からの光を通過させる押下操作部を含んで成り、前記押しボタンユニット本体部の前記対向部に対応して、前記押しボタンユニット本体部の前記基板と反対方向の側に配置された表示部付き被押下体とから構成されることを特徴とする照光式スイッチの構造。
【請求項８】
前記表示部付き被押下体は、光拡散シートを含んで構成されることを特徴とする請求項７記載の照光式スイッチの構造。
【請求項９】
前記表示部付き被押下体は、前記押しボタンユニット本体部の前記基板と反対方向の側に、前記光拡散シート、前記押下操作部の順に積層されて成ることを特徴とする請求項８記載の照光式スイッチの構造。
【請求項１０】
前記押下操作部は、中が詰まった透明体で構成されることを特徴とする請求項９記載の照光式スイッチの構造。
【請求項１１】
前記押しボタンユニット本体部は、各々積層される前記光拡散シート及び前記押下操作部との位置を合わせるための位置決め用係合部を有することを特徴とする請求項９または１０記載の照光式スイッチの構造。
【請求項１２】
ガイド部が設けられた基板と、
前記基板に対して固定的に設けられ、駆動されて往復動作する被駆動部を有するスイッチユニットと、
前記スイッチユニットに隣接して前記基板に対して固定的に設けられた発光部と、
前記スイッチユニットを駆動操作するための押しボタンユニットとを有し、
前記押しボタンユニットは、押しボタンユニット本体部と表示部付き被押下体とを組み合わせて構成され、
前記押しボタンユニット本体部は、前記発光部に対向する対向部、前記スイッチユニットの被駆動部と結合状態となって前記被駆動部と前記押しボタンユニットとの往復動作を連動させる結合部、前記基板のガイド部と係合し前記ガイド部と協働して前記押しボタンユニットの往復動作時のガイド機能を果たすガイド部係合部、及び、前記基板と反対方向の側において複数種類の表示部付き被押下体のうちの１つを選択的に取り付け可能な押下体取付部を含んで一体に形成され、前記表示部付き被押下体は、押下操作されると共に前記発光部からの光を通過させる押下操作部を含んで成り、前記押しボタンユニット本体部の前記対向部に対応して、前記押しボタンユニット本体部の前記基板と反対方向の側に配置され、
前記押しボタンユニット本体部の前記押下体取付部に、任意の種類の表示部付き被押下体を取り付けることで、異なる種類の照光式スイッチアセンブリが構成されるようにされたことを特徴とする照光式スイッチの構造。
【請求項１３】
前記表示部付き被押下体は、前記押下操作部に対して、複数種類の光拡散シートのうちの少なくとも１つを選択的に組み合わせることで複数種類が得られるように構成され、前記押しボタンユニット本体部の前記押下体取付部に、選択された光拡散シート、前記押下操作部の順に積層されて取り付けられることで、所望の種類の照光式スイッチアセンブリが得られるように構成されたことを特徴とする請求項１２記載の照光式スイッチの構造。
【請求項１４】
前記表示部付き被押下体は、少なくとも１つの光拡散シートに対して、複数種類の押下操作部のうちの１つを選択的に組み合わせることで複数種類が得られるように構成され、前記押しボタンユニット本体部の前記押下体取付部に、前記光拡散シート、選択された押下操作部の順に積層されて取り付けられることで、所望の種類の照光式スイッチアセンブリが得られるように構成されたことを特徴とする請求項１２記載の照光式スイッチの構造。
【請求項１５】
前記表示部付き被押下体は、複数種類の押下操作部のうちの１つと複数種類の光拡散シートのうちの少なくとも１つとを選択的に組み合わせることで複数種類が得られるように構成され、前記押しボタンユニット本体部の前記押下体取付部に、選択された光拡散シート、選択された押下操作部の順に積層されて取り付けられることで、所望の種類の照光式スイッチアセンブリが得られるように構成されたことを特徴とする請求項１２記載の照光式スイッチの構造。
【請求項１６】
前記押しボタンユニット本体部の前記対向部は、側壁で囲まれた空洞部を有して構成されることを特徴とする請求項７〜１５のいずれか１項に記載の照光式スイッチの構造。
【請求項１７】
前記空洞部は、前記表示部付き被押下体に向かうにつれて拡開していることを特徴とする請求項１６記載の照光式スイッチの構造。
【請求項１８】
前記押下操作部の押下による前記押しボタンユニットの往復動作時に、前記空洞部内に前記発光部の少なくとも一部が嵌入され、前記押下操作部の押下深さが深くなるにつれて、前記発光部の前記空洞部内への嵌入度合いが高くなるように構成されたことを特徴とする請求項１６または１７記載の照光式スイッチの構造。
【請求項１９】
電気部品が複数配置された基板と、
前記基板に対して固定的に設けられたガイド部と、
前記基板に対して固定的に設けられ、駆動されて往復動作する被駆動部を有するスイッチユニットと、
前記スイッチユニットに隣接して前記基板に対して固定的に設けられた発光部と、
前記スイッチユニットを駆動操作するための押しボタンユニットとを有し、
前記押しボタンユニットは、前記発光部からの光を通過させる光通過部と、押下操作される押下操作部と、前記スイッチユニットの被駆動部と結合状態となって前記被駆動部と当該押しボタンユニットとの往復動作を連動させる結合部と、前記基板のガイド部と係合し、前記ガイド部と協働して当該押しボタンユニットの往復動作時のガイド機能を果たすガイド部係合部とを有し、
さらに、前記ガイド部と前記ガイド部係合部とが果たすガイド機能により、前記被駆動部の往復動作がガイドされることで、前記スイッチユニットの円滑なスイッチング動作が確保されるように構成されたことを特徴とする照光式スイッチの構造。
【請求項２０】
ガイド部が設けられた基板と、
前記基板に対して固定的に設けられ、駆動されて往復動作する被駆動部を有するスイッチユニットと、
前記スイッチユニットを駆動操作するための押しボタンユニットとを有し、
前記押しボタンユニットは、押下操作される押下操作部と、前記スイッチユニットの被駆動部と結合状態となって前記被駆動部と当該押しボタンユニットとの往復動作を連動させる結合部と、前記基板のガイド部と係合し、前記ガイド部と協働して当該押しボタンユニットの往復動作時のガイド機能を果たすガイド部係合部とを有し、
前記基板は、前記スイッチユニット及び前記押しボタンユニット以外の電気部品が複数配置可能で、該電気部品のベース部材として用いられる汎用基板であり、
さらに、前記ガイド部と前記ガイド部係合部とが果たすガイド機能により、前記被駆動部の往復動作がガイドされることで、前記スイッチユニットの円滑なスイッチング動作が確保されるように構成されたことを特徴とする照光式スイッチの構造。
【発明の詳細な説明】
【０００１】
【発明の属する技術の分野】
本発明は、ミキサ装置等の各種電子機器に適用される照光式スイッチの構造及び照光式スイッチ用の押しボタンユニットに関する。
【０００２】
【従来の技術】
従来、ミキサ装置や電子楽器等をはじめとする各種電子機器には、操作子としてプッシュ式等の照光式スイッチが広く用いられている。この照光式スイッチでは、押下操作部がゴム製等である場合に比し高級感を出すために、ＬＥＤ（Light Emitting Diode）等の発光部を設け、押下操作部を透明に構成する等して、操作時に発光部の光が押下操作部を通じて見えるように構成されたものもある。
【０００３】
このような照光式スイッチでは、例えば、往復動作する被駆動部が押下されることでオンオフ動作する市販品等のスイッチユニットが利用される。しかし、仮にスイッチユニットの被駆動部の上方に発光部を配設すると、全体が大型化する。また、ＬＥＤ付きのスイッチユニットも存在するが、高価である。そのため、例えば下記特許文献１、２、３の照光式スイッチでは、基板上において発光部がスイッチユニットとは多少離間した位置に配設される。
【０００４】
すなわち、下記特許文献１（例えば図３）では、操作子をプッシュスイッチの被駆動部に嵌合固定し、発光ダイオードの光が操作子に設けた穴から視認されるように構成されている。
【０００５】
また、下記特許文献２（例えば図１５）では、操作子が操作パネルに固定された操作子枠に保持及びガイドされるように構成し、発光体の光がレンズ体を通じて視認されるように構成される。
【０００６】
さらに、下記特許文献３（例えば図１、図２）では、基板とサブパネルを連結し、ガイド枠体をサブパネルに取り付け、操作部がガイド枠体によって保持及びガイドされるように構成される。操作部は発光ダイオード及びスイッチを含むように長く形成される。
【０００７】
【特許文献１】
実開昭６０−１６２３２６号公報
【特許文献２】
特開平４−２６９４１２号公報
【特許文献３】
特開平９−２２６３４号公報
【０００８】
【発明が解決しようとする課題】
しかしながら、上記特許文献１では、操作子がプッシュスイッチの被駆動部に保持されるのみであり、不安定で、操作性、耐久性があまりよくなく、スイッチング動作も安定しない。また、上記特許文献２、３では、操作子、操作部が操作子枠、ガイド枠体に保持及びガイドされるので、動作は安定するが、枠体等の保持機構が別途必要となることから、構成が複雑化し、大型化、コストの上昇を招く。さらに、上記特許文献３では、操作部が長いため、操作位置によっては動作が不安定で操作性がよくない。なお、発光については、視認しやすいことが好ましいことはいうまでもない。
【０００９】
本発明は上記従来技術の問題を解決するためになされたものであり、その第１の目的は、小型、低コスト、簡単な構成でありながら、良好な視認性及び操作性を確保することができる照光式スイッチの構造及び照光式スイッチ用の押しボタンユニットを提供することにある。
【００１０】
本発明の第２の目的は、小型、低コスト、簡単な構成でありながら、良好な操作性及び円滑なスイッチング動作を実現することができる照光式スイッチの構造を提供することにある。
【００１１】
【課題を解決するための手段】
上記第１の目的を達成するために本発明の請求項１の照光式スイッチの構造は、ガイド用穴（６０ｃ）が形成された基板（６０）と、前記基板に対して固定的に設けられ、駆動されて往復動作する被駆動部（５２）を有するスイッチユニット（ＵＳ）と、前記スイッチユニットに隣接して前記基板に対して固定的に設けられた発光部（４０）と、前記スイッチユニットを駆動操作するための押しボタンユニット（ＵＢ）とを有し、前記押しボタンユニットは、前記発光部に対向する対向部（ＣＡ）と、前記対向部に対応して設けられ、押下操作されると共に前記発光部からの光を通過させる押下操作部（１０、ＰＳ）と、前記スイッチユニットの被駆動部と結合状態となって前記被駆動部と当該押しボタンユニットとの往復動作を連動させる結合部（３０ｃ、１３０ｃ）と、前記基板のガイド用穴に挿通され、前記ガイド用穴と協働して当該押しボタンユニットの往復動作時のガイド機能を果たすガイドピン（３０ｄ、１３０ｄ）とを有することを特徴とする。
【００１２】
この構成によれば、押下操作部が、発光部に対向する対向部に対応して設けられるので、押下操作部が押下操作されると、発光部からの光が通過し、押下操作部からその光が明確に視認される。また、押しボタンユニットの結合部がスイッチユニットの被駆動部と結合状態となって前記被駆動部と当該押しボタンユニットとの往復動作が連動すると共に、基板のガイド用穴に挿通されたガイドピンが、基板に形成されたガイド用穴と協働して当該押しボタンユニットの往復動作時のガイド機能を果たすので、押しボタンユニットの保持及びガイドのために、ガイド枠等の大掛かりな保持部材を別途設ける必要がなく、構成が簡単で大型化やコスト上昇が抑制されるだけでなく、押下操作部の操作性が維持される。よって、小型、低コスト、簡単な構成でありながら、良好な視認性及び操作性を確保することができる。
【００１３】
上記第１の目的を達成するために本発明の請求項３の照光式スイッチ用の押しボタンユニットは、ガイド用穴が形成された基板に対して固定的に設けられ、駆動されて往復動作する被駆動部を有するスイッチユニットを駆動操作するための押しボタンユニットであって、前記スイッチユニットに隣接して前記基板に対して固定的に設けられた発光部に対向する対向部と、前記対向部に対応して設けられ、押下操作されると共に前記発光部からの光を通過させる押下操作部と、前記スイッチユニットの被駆動部と結合状態となって前記被駆動部と当該押しボタンユニットとの往復動作を連動させる結合部と、前記基板のガイド用穴に挿通され、前記ガイド用穴と協働して当該押しボタンユニットの往復動作時のガイド機能を果たすガイドピンとを有することを特徴とする。
【００１４】
この構成によれば、請求項１と同様に、小型、低コスト、簡単な構成でありながら、良好な視認性及び操作性を確保することができる。
【００１５】
上記第１の目的を達成するために本発明の請求項５の照光式スイッチの構造は、ガイド部（６０ｃ、９０ａ、９０ｂ、３０ｄ２）が設けられた基板（６０、１６０、２６０）と、前記基板に対して固定的に設けられ、駆動されて往復動作する被駆動部を有するスイッチユニットと、前記スイッチユニットに隣接して前記基板に対して固定的に設けられた発光部と、前記スイッチユニットを駆動操作するための押しボタンユニットとを有し、前記押しボタンユニットは、前記発光部に対向する対向部と、前記対向部に対応して設けられ、押下操作されると共に前記発光部からの光を通過させる押下操作部と、前記スイッチユニットの被駆動部と結合状態となって前記被駆動部と当該押しボタンユニットとの往復動作を連動させる結合部と、前記基板のガイド部と係合し、前記ガイド部と協働して当該押しボタンユニットの往復動作時のガイド機能を果たすガイド部係合部（３０ｄ、１３０ｄ、ｈ１）とを有することを特徴とする。
【００１６】
この構成によれば、構成が簡単で大型化やコスト上昇が抑制されるだけでなく、押下操作部の操作性が維持される。よって、小型、低コスト、簡単な構成でありながら、良好な視認性及び操作性を確保することができる。
【００１７】
上記第１の目的を達成するために本発明の請求項７の照光式スイッチの構造は、ガイド部（６０ｃ、９０ａ、９０ｂ、３０ｄ２）が設けられた基板（６０、１６０、２６０）と、前記基板に対して固定的に設けられ、駆動されて往復動作する被駆動部（５２）を有するスイッチユニット（ＵＳ）と、前記スイッチユニットに隣接して前記基板に対して固定的に設けられた発光部（４０）と、前記スイッチユニットを駆動操作するための押しボタンユニット（ＵＢ）とを有し、前記押しボタンユニットは、前記発光部に対向する対向部（ＣＡ）、前記スイッチユニットの被駆動部と結合状態となって前記被駆動部と当該押しボタンユニットとの往復動作を連動させる結合部（３０ｃ）、及び、前記基板のガイド部と係合し前記ガイド部と協働して当該押しボタンユニットの往復動作時のガイド機能を果たすガイド部係合部（３０ｄ、ｈ１）を含んで一体に形成される押しボタンユニット本体部（３０）と、押下操作されると共に前記発光部からの光を通過させる押下操作部（１０）を含んで成り、前記押しボタンユニット本体部の前記対向部に対応して、前記押しボタンユニット本体部の前記基板と反対方向の側に配置された表示部付き被押下体（１０、２０）とから構成されることを特徴とする。
【００１８】
この構成によれば、構成が簡単で大型化やコスト上昇が抑制されるだけでなく、表示部付き被押下体の操作性が維持される。よって、小型、低コスト、簡単な構成でありながら、良好な視認性及び操作性を確保することができる。
【００１９】
上記第１の目的を達成するために本発明の請求項１２の照光式スイッチの構造は、ガイド部（６０ｃ、９０ａ、９０ｂ、３０ｄ２）が設けられた基板（６０、１６０、２６０）と、前記基板に対して固定的に設けられ、駆動されて往復動作する被駆動部（５２）を有するスイッチユニット（ＵＳ）と、前記スイッチユニットに隣接して前記基板に対して固定的に設けられた発光部（４０）と、前記スイッチユニットを駆動操作するための押しボタンユニット（ＵＢ）とを有し、前記押しボタンユニットは、押しボタンユニット本体部（３０）と表示部付き被押下体（１０、２０）とを組み合わせて構成され、前記押しボタンユニット本体部は、前記発光部に対向する対向部（ＣＡ）、前記スイッチユニットの被駆動部と結合状態となって前記被駆動部と前記押しボタンユニットとの往復動作を連動させる結合部（３０ｃ）、前記基板のガイド部と係合し前記ガイド部と協働して前記押しボタンユニットの往復動作時のガイド機能を果たすガイド部係合部（３０ｄ、ｈ１）、及び、前記基板と反対方向の側において複数種類の表示部付き被押下体を選択的に取り付け可能な押下体取付部（３０ｆ）を含んで一体に形成され、前記表示部付き被押下体は、押下操作されると共に前記発光部からの光を通過させる押下操作部（１０）を含んで成り、前記押しボタンユニット本体部の前記対向部に対応して、前記押しボタンユニット本体部の前記基板と反対方向の側に配置され、前記押しボタンユニット本体部の前記押下体取付部に、任意の種類の表示部付き被押下体を取り付けることで、異なる種類の照光式スイッチアセンブリが構成されるようにされたことを特徴とする。
【００２０】
この構成によれば、小型、低コスト、簡単な構成でありながら、良好な視認性及び操作性を確保することができる。また、押しボタンユニット本体部の押下体取付部に、任意の種類の表示部付き被押下体を取り付けることで、異なる種類の照光式スイッチアセンブリが構成されるので、少ない種類の部品で多種類の照光式スイッチアセンブリを得ることができる。
【００２１】
上記第１の目的を達成するために本発明の請求項１９の照光式スイッチの構造は、電気部品が複数配置された基板（６０、１６０、２６０）と、前記基板に対して固定的に設けられたガイド部（６０ｃ、９０ａ、９０ｂ、３０ｄ２）と、前記基板に対して固定的に設けられ、駆動されて往復動作する被駆動部（５２）を有するスイッチユニット（ＵＳ）と、前記スイッチユニットに隣接して前記基板に対して固定的に設けられた発光部（４０）と、前記スイッチユニットを駆動操作するための押しボタンユニット（ＵＢ）とを有し、前記押しボタンユニットは、前記発光部からの光を通過させる光通過部（ＣＡ、１０、８０）と、押下操作される押下操作部（１０、ＰＳ）と、前記スイッチユニットの被駆動部と結合状態となって前記被駆動部と当該押しボタンユニットとの往復動作を連動させる結合部（３０ｃ、１３０ｃ）と、前記基板のガイド部と係合し、前記ガイド部と協働して当該押しボタンユニットの往復動作時のガイド機能を果たすガイド部係合部（３０ｄ、１３０ｄ、ｈ１）とを有し、さらに、前記ガイド部と前記ガイド部係合部とが果たすガイド機能により、前記被駆動部の往復動作がガイドされることで、前記スイッチユニットの円滑なスイッチング動作が確保されるように構成されたことを特徴とする。
【００２２】
この構成によれば、小型、低コスト、簡単な構成でありながら、良好な視認性及び操作性を確保することができる。また、ガイド部とガイド部係合部とが果たすガイド機能により、円滑なスイッチング動作を実現することができる。
【００２３】
上記第２の目的を達成するために本発明の請求項２０の照光式スイッチの構造は、ガイド部（６０ｃ、９０ａ、９０ｂ、３０ｄ２）が設けられた基板（６０、１６０、２６０）と、前記基板に対して固定的に設けられ、駆動されて往復動作する被駆動部（５２）を有するスイッチユニット（ＵＳ）と、前記スイッチユニットを駆動操作するための押しボタンユニット（ＵＢ）とを有し、前記押しボタンユニットは、押下操作される押下操作部（１０、ＰＳ）と、前記スイッチユニットの被駆動部と結合状態となって前記被駆動部と当該押しボタンユニットとの往復動作を連動させる結合部（３０ｃ、１３０ｃ）と、前記基板のガイド部と係合し、前記ガイド部と協働して当該押しボタンユニットの往復動作時のガイド機能を果たすガイド部係合部（３０ｄ、１３０ｄ、ｈ１）とを有し、前記基板は、前記スイッチユニット及び前記押しボタンユニット以外の電気部品が複数配置可能で、該電気部品のベース部材として用いられる汎用基板であり、さらに、前記ガイド部と前記ガイド部係合部とが果たすガイド機能により、前記被駆動部の往復動作がガイドされることで、前記スイッチユニットの円滑なスイッチング動作が確保されるように構成されたことを特徴とする。
【００２４】
この構成によれば、押しボタンユニットの結合部がスイッチユニットの被駆動部と結合状態となって被駆動部と押しボタンユニットとの往復動作が連動すると共に、ガイド部とガイド部係合部とが協働して押しボタンユニットの往復動作時のガイド機能を果たすので、押しボタンユニットの保持及びガイドのために、ガイド枠等の大掛かりな保持部材を別途設ける必要がなく、構成が簡単で大型化やコスト上昇が抑制されるだけでなく、押下操作部の操作性が維持される。しかも、基板は汎用基板であることから、構成が簡単でコストが低い。さらに、ガイド部とガイド部係合部とが果たすガイド機能により、被駆動部の往復動作がガイドされることで、スイッチユニットの円滑なスイッチング動作が確保される。よって、小型、低コスト、簡単な構成でありながら、良好な操作性及び円滑なスイッチング動作を実現することができる。
【００２５】
【発明の実施の形態】
以下、本発明の実施の形態を図面を参照して説明する。
【００２６】
（第１の実施の形態）
図１は、本発明の第１の実施の形態に係る照光式スイッチの外観図である。本照光式スイッチＬＳＷは、スイッチユニットＵＳと押しボタンユニットＵＢとＬＥＤ（Light Emitting Diode）４０とで構成される。押しボタンユニットＵＢはスイッチユニットＵＳを駆動操作するためのものであり、ボタン体１０、拡散シート２０及びランプハウス３０から構成される。照光式スイッチＬＳＷは、例えば、ミキサ装置等の電子機器に広く用いられ、オンオフ操作が点灯・消灯によって認識されるようなスイッチに好適である。
【００２７】
図２は、照光式スイッチＬＳＷの分解斜視図である。図３は、照光式スイッチＬＳＷの詳細な構成を示す図であり、図３（ａ）は照光式スイッチＬＳＷの平面図、同図（ｂ）はスイッチユニットＵＳ側からみた照光式スイッチＬＳＷの正面図、同図（ｃ）は同図（ａ）のＡ−Ａ線に沿う断面図である。詳細は後述するように、照光式スイッチＬＳＷは、基板６０に取り付けられ、オン操作によりＬＥＤ４０が発光してその発光がボタン体１０を通じて視認される。
【００２８】
図２に示すように、基板６０には、１つの照光式スイッチＬＳＷに対応して複数の端子用穴６０ａ、６０ｂ及びガイド用穴６０ｃが設けられる。基板６０としては、各種電気部品が配置される汎用の基板を用いることができる。端子用穴６０ａは、スイッチユニットＵＳの後述する端子５３の数及び位置に対応して設けられる。ＬＥＤ４０には、２本の端子４１が設けられており、端子用穴６０ｂは、このＬＥＤ４０の端子４１に対応して２箇所に設けられている。ガイド用穴６０ｃは、ランプハウス３０の後述する２本のガイドピン３０ｄに対応して設けられ、ガイドピン３０ｄが摺動可能に貫通するような形状に形成されている。
【００２９】
本実施の形態では、スイッチユニットＵＳとして、市販されているものを採用している。スイッチユニットＵＳは、直方体状のスイッチ本体５１から１２本の端子５３が下方に垂設され、さらにスイッチ本体５１の上面５１ｂの略中央に被駆動部５２が突設されて構成される。被駆動部５２は、押圧されることでスイッチ本体５１に対して往復動作し、操作される度に、オフに対応する突出した所定位置と、オンに対応する沈下した所定位置との間で姿勢を変える。被駆動部５２は例えば合成樹脂で形成され、頭部５２ａ及び当接面５２ｂを有する。
【００３０】
ＬＥＤ４０及びスイッチユニットＵＳは、図３（ｂ）、（ｃ）に示すように、基板６０上に隣接して配設される。すなわち、ＬＥＤ４０の２本の端子４１が、対応する端子用穴６０ｂを貫通し、スイッチユニットＵＳの１２本の端子５３が、対応する端子用穴６０ａを貫通して、いずれも基板６０の下方に突出している。
【００３１】
ボタン体１０は、透明な合成樹脂等で一体に形成され、ベース部１０ａと押下操作部１０ｂとから成る（図２、図３（ｂ）参照）。押下操作部１０ｂは操作者が直接触れて押下操作するボタン部分である。ベース部１０ａには、長穴１０ｃが２つ設けられる（図３（ａ）参照）。各長穴１０ｃは、それらの略中央がランプハウス３０の後述する突起部３０ａに対応して円形に切りかかれている。拡散シート２０は光が通過及び乱反射して拡散するような例えば半透明の合成樹脂で成り、拡散シート２０には、本照光式スイッチＬＳＷの機能に応じて、例えば機能名「ＯＮ」等の文字を付すことができる（図６参照）。拡散シート２０には、２つの切り欠き２０ａ及び１つの切り欠き２０ｂが設けられている（図２参照）。
【００３２】
ボタン体１０と拡散シート２０とで、「表示部付き被押下体」が構成される。ここで、ボタン体１０と拡散シート２０とを、それぞれ、予め複数種類設けておき、機種等に応じて、選択的に組み合わせることで、異なる種類の「表示部付き被押下体」を得ることができる。そして、この「表示部付き被押下体」をランプハウス３０に組み付けることで、異なる種類の照光式スイッチアセンブリ（ここでは照光式スイッチＬＳＷ）を容易に得ることができる。例えば、ボタン体１０に対して組み合わせる拡散シート２０を種々異ならせることで、機能名を変更した種類の異なる同一型スイッチを容易に構成することができる。逆に、拡散シート２０に対して組み合わせるボタン体１０を種々異ならせることで、同一機能用で異形状のスイッチを容易に構成することができる。ボタン体１０及び拡散シート２０の種類数を多くすれば、組み合わせは著しく多数となるので、少ない部品で多種類のスイッチアセンブリを得ることができ、低コストに寄与する。また、拡散シート２０に付されるマークは、文字に限られず、色を異ならせることも可能であるので、ミキサ装置において、例えば、チャンネル毎、あるいは複数チャンネル毎に、用いられるスイッチ群の色を統一する等の場合に好適である。
【００３３】
また、それらの場合、ランプハウス３０については、多種類のスイッチ間で共用することも容易である。例えば、ボタン体１０の形状を円柱状や三角柱状に形成したり、あるいは平面視でグランドピアノ等の楽器のようにみえる柱状に形成したりして、異機種のスイッチ用、または同一機種の異スイッチ用に、同じランプハウス３０を適用してもよい。この場合、ボタン体１０の全体をそのような形状にする必要はなく、押下操作部１０ｂだけがそのような形状であればよい。あるいは、後述するパネル７０の穴７０ａ（図３（ｂ）、（ｃ）参照）から突出する押下操作部１０ｂの上半部のみを上記のような形状としてもよく、その場合は、穴７０ａより下方に隠れる部分の形状を図１に示すものと同様とすれば、製造のための金型を部分的に共用することができる。
【００３４】
押しボタンユニットＵＢを、異なる機能を有するスイッチに適用する場合には、その機能名を拡散シート２０に施して使用すれば、容易に対応することができる。さらに、ボタン体１０の色についても、異なる種類を設けてもよい。
【００３５】
また、拡散シート２０は、１つの照光式スイッチＬＳＷに２つ以上重ねて用いるようにしてもよい。その場合は、拡散シート２０の１つには文字、他の１つには色を設ける等により、一層多彩な組み合わせが可能になる。あるいは、拡散シート２０の１つには「group」等の文字を付すと共に、他の１つには位置をずらせて「ensemble」等の他の文字を付し、これらを単独で使用したり、重ねて使用したりすることで、少ない種類の拡散シート２０で多種類の表示が可能になる。
【００３６】
ランプハウス３０は、押しボタンユニットＵＢの本体部に相当し、白色等の合成樹脂で一体に形成される。図２に示すように、ランプハウス３０の上面３０ｆには、２つの突起部３０ａ及び１つの突起部３０ｂが設けられる。ランプハウス３０の上面３０ｆに拡散シート２０が載置され、その上にボタン体１０が載置される。このような積層配置により、拡散シート２０がボタン体１０により保護される。突起部３０ａは、拡散シート２０の切り欠き２０ａ及びボタン体１０の長穴１０ｃに対応し、これらに嵌合されて、拡散シート２０及びボタン体１０の位置決め機能を果たす。突起部３０ｂは、拡散シート２０の切り欠き２０ｂに対応し、例えば、拡散シート２０の表裏逆取り付けや、拡散シート２０の種類が複数存在する場合における種類間の誤装着を防止する機能を果たす。これにより、拡散シート２０及びボタン体１０の積層作業が容易になっている。
【００３７】
なお、本実施の形態では、突起部３０ａは上面３０ｆにおいて対称位置に設けられるが、切り欠き２０ａ及び長穴１０ｃと共に非対称位置に設けることで、誤装着防止用の突起部３０ｂ及び切り欠き２０ｂを省略することができる。また、突起部３０ａの配置を工夫すれば、ボタン体１０及び拡散シート２０の種類の異なる機種間でランプハウス３０を共用するというようなことも可能である。例えば、突起部３０ａを複数箇所に設け、ボタン体１０及び拡散シート２０の取り付け可能な位置のパターンを複数設定することで、多種類のスイッチに対応することができる。
【００３８】
ボタン体１０の長穴１０ｃは、突起部３０ａが嵌合すると外側に僅かに開き、その弾性によりボタン体１０がランプハウス３０に対して十分に結合状態となる。しかも、ボタン体１０及び拡散シート２０はランプハウス３０に対して着脱自在であり、後に交換が可能である。なお、事後的交換は困難となるが、補強のためには、ランプハウス３０の上面３０ｆと拡散シート２０、及び拡散シート２０とボタン体１０とを接着剤で固定するようにしてもよい。
【００３９】
ランプハウス３０にはまた、嵌着部３０ｃ、２本のガイドピン３０ｄ、及び２本のガイドリブ３０ｅが一体に設けられ（図２参照）、ランプハウス３０の中心部は、四方の側壁３０ｇで囲まれた空洞部ＣＡとなっている（図２、図３（ｃ）参照）。嵌着部３０ｃは、ランプハウス３０のスイッチユニットＵＳ側に設けられ、スイッチユニットＵＳの被駆動部５２の頭部５２ａに嵌合的な四角形の嵌合穴３０ｃａを有している。さらに、嵌着部３０ｃには、スリット３０ｃｂが形成されており、被駆動部５２の頭部５２ａが嵌合したとき、適当な弾性により頭部５２ａが嵌合穴３０ｃａに着脱可能に嵌着保持される。また、頭部５２ａが嵌合穴３０ｃａに嵌着されたとき、嵌着部３０ｃの下面３０ｃｃは、被駆動部５２の当接面５２ｂに当接し、スイッチユニットＵＳは、被駆動部５２に対してそれ以上深く係合しない。そのため、押圧力がランプハウス３０から被駆動部５２に確実に伝わる。これらにより、被駆動部５２と嵌着部３０ｃとの摩擦力による結合状態が維持されたまま、被駆動部５２とランプハウス３０の上下往復動作が連動するようになる。
【００４０】
ランプハウス３０にはまた、図１、図３（ｃ）に示すように、複数（４本）のストッパ部ＳＴが垂下して設けられる。ストッパ部ＳＴは、押しボタンユニットＵＢの押下時に基板６０に当接して、押しボタンユニットＵＢの押下終了位置（押し切り位置）を規制する。
【００４１】
ガイドピン３０ｄは、下方に延設され、基板６０のガイド用穴６０ｃに挿通される。押しボタンユニットＵＢの往復動作時には、ガイド用穴６０ｃ内をガイドピン３０ｄが摺動することで、押しボタンユニットＵＢの動作がガイドされる。また、ガイドリブ３０ｅは、スイッチユニットＵＳの垂直面５１ａ（図３（ｃ））に対向して２つ設けられる。スイッチユニットＵＳの垂直面５１ａは基板６０に対してほぼ垂直に形成されており、被駆動部５２が嵌着部３０ｃに嵌着されたとき、ガイドリブ３０ｅの摺接面３０ｅａが垂直面５１ａにちょうど当接するようになっている（図３（ｃ）参照）。そして、押しボタンユニットＵＢの往復動作時には、ガイドリブ３０ｅの摺接面３０ｅａが垂直面５１ａと摺接し、これによっても押しボタンユニットＵＢの動作がガイドされる。
【００４２】
空洞部ＣＡは、側壁３０ｇで囲まれ、上方に向かって拡開しており、しかもランプハウス３０が白色であることから、ＬＥＤ４０の光が空洞部ＣＡ内で反射し、ボタン体１０の方向に効率よく導かれるようになっている。これにより、ＬＥＤ４０の光の集光効率を高め、押下操作部１０ｂを通じた光の視認効果を高めることができる。
【００４３】
空洞部ＣＡはまた、ＬＥＤ４０より十分大きく形成され、ランプハウス３０の基板への取り付け後には、ＬＥＤ４０に対向する。そして、押下操作部１０ｂの押下による押しボタンユニットＵＢの往復動作時に、空洞部ＣＡ内にＬＥＤ４０が嵌入される。これにより、基板６０からの押下操作部１０ｂの上端までの高さを低く設定でき、照光式スイッチＬＳＷの薄型化に寄与する。しかも、押下深さが深くなるにつれて、ＬＥＤ４０の空洞部ＣＡ内への嵌入度合いが高くなるようになっていることで、押下操作時の視認効果を一層高めている。
【００４４】
図５（ａ）は、本実施の形態に係る照光式スイッチＬＳＷの主な構成要素の配置位置を示す模式図である。同図（ａ）は、照光式スイッチＬＳＷを、図３（ａ）の右方からみた場合の要素間の位置を相対的に表したものである。図５（ｂ）については後述する。
【００４５】
図５（ａ）に示すように、スイッチユニットＵＳの被駆動部５２の中央からボタン体１０の押下操作部１０ｂの中央までの距離をＬ１、被駆動部５２の中央からランプハウス３０のガイドピン３０ｄの中央までの距離をＬ２、基板６０からの押下操作部１０ｂの高さをＨ１とする。本実施の形態では、おおよそ、Ｌ１＝１２ｍｍ、Ｌ２＝１３．５ｍｍ、Ｈ１＝２０ｍｍに設定されている。なお、ＬＥＤ４０は押下操作部１０ｂの略中央の下方に配置されている。
【００４６】
照光式スイッチＬＳＷは次のようにして基板６０に取り付けられる（図２、図３参照）。まず、ランプハウス３０の突起部３０ａに拡散シート２０の切り欠き２０ａ及びボタン体１０の長穴１０ｃの位置を合わせて、拡散シート２０及びボタン体１０をランプハウス３０に取り付けることで、押しボタンユニットＵＢを製作する。一方、スイッチユニットＵＳの各端子５３、ＬＥＤ４０の各端子４１を、それぞれ基板６０の端子用穴６０ａ、６０ｂを貫通させて基板６０の下方に突出させ、端子５３、４１に不図示の半田槽または手付けにて半田付けすることで、スイッチユニットＵＳ及びＬＥＤ４０を基板６０に取り付ける。そして、ランプハウス３０の空洞部ＣＡをＬＥＤ４０に対向させつつ、ガイドピン３０ｄを基板６０のガイド用穴６０ｃに挿通させると共に、嵌着部３０ｃの嵌合穴３０ｃａにスイッチユニットＵＳの被駆動部５２の頭部５２ａを嵌着する。
【００４７】
なお、押しボタンユニットＵＢとスイッチユニットＵＳとの結合（嵌着部３０ｃによる頭部５２ａの嵌着）は、スイッチユニットＵＳを基板６０に取り付ける前に行うようにしてもよい。この場合、ＬＥＤ４０を基板６０に取り付けた後に、押しボタンユニットＵＢとスイッチユニットＵＳとの結合体を基板６０に取り付けることになる。
【００４８】
照光式スイッチＬＳＷの取り付け後においては、図３（ｂ）、（ｃ）に示すように、パネル７０が被せられる。この場合、例えば、照光式スイッチＬＳＷの取り付けられた基板６０をパネル７０に対して固着するようにしてもよい。パネル７０には、複数の照光式スイッチＬＳＷに対応して複数の穴７０ａが設けられており、各穴７０ａから対応する押下操作部１０ｂの上半部だけがパネル７０上に露出するようになっている。
【００４９】
かかる構成において、「ＯＦＦ」状態で操作者が押しボタンユニットＵＢの押下操作部１０ｂを押下すると、その力が嵌着部３０ｃを介して被駆動部５２に伝達され、被駆動部５２が沈んだ後、「ＯＮ」位置にロックされる。なお、被駆動部５２が最も深く沈んだとき（ストッパ部ＳＴが基板６０に当接する押し切り時）でも、嵌着部３０ｃの下面３０ｃｃとスイッチ本体５１の上面５１ｂとの間にはクリアランスが確保されるようになっている。被駆動部５２が下方に移動する際、ガイド用穴６０ｃ内をガイドピン３０ｄが摺動すると共に、ガイドリブ３０ｅの摺接面３０ｅａが垂直面５１ａと摺接することで、押しボタンユニットＵＢがガイドされて円滑に真っ直ぐ下降する。
【００５０】
被駆動部５２が「ＯＮ」位置にくると、ＬＥＤ４０が点灯され、その光が空洞部ＣＡ、拡散シート２０及び透明な押下操作部１０ｂを通じて操作者に視認される。しかも、拡散シート２０で光が拡散するので、広い角度から視認が容易となり、拡散シート２０に付された「ＯＮ」等の文字も明確に視認される。しかも、ボタン体１０の押下操作部１０ｂは、上面から拡散シート２０と接する部分まで中が詰まった透明体であるので、光の屈折率の関係で、拡散シート２０に付された文字等が視認しやすく、また、押下操作部１０ｂを凸状に形成することで、レンズ効果を付与することも可能である。
【００５１】
一方、「ＯＮ」状態で操作者が押下操作部１０ｂを押下すると、被駆動部５２の上方への復帰力が嵌着部３０ｃを介して押しボタンユニットＵＢに伝達され、押しボタンユニットＵＢが被駆動部５２に連動して上方に移動し、「ＯＦＦ」位置に静止する。その際にも、ガイド用穴６０ｃ及びガイドピン３０ｄ、摺接面３０ｅａ及び垂直面５１ａによって、押しボタンユニットＵＢがガイドされて円滑に上昇する。
【００５２】
本実施の形態によれば、被駆動部５２が嵌着部３０ｃに嵌着されることで、被駆動部５２に押しボタンユニットＵＢが保持され且つ往復動作が連動する状態となり、その上、ガイド用穴６０ｃとガイドピン３０ｄとが協働し、さらに摺接面３０ｅａと垂直面５１ａとが協働して、押しボタンユニットＵＢの往復動作時のガイド機能を確実に果たす。従って、押しボタンユニットＵＢの保持及びガイドのために、ガイド枠等の保持部材を別途設けて基板６０やパネル７０に固定する等の必要がなく、構成が簡単で大型化やコスト上昇が抑制されるだけでなく、押しボタンユニットＵＢの円滑な動作により良好なボタン操作性が維持される。よって、小型、低コスト、簡単な構成でありながら、良好な視認性及び操作性を確保することができる。
【００５３】
本実施の形態によればまた、ボタン体１０と拡散シート２０とを複数種類設けて、選択的に組み合わせることで異なる種類の照光式スイッチアセンブリが構成されるようにしたので、少ない種類の部品で多種類の照光式スイッチアセンブリを得ることができる。
【００５４】
また、ガイド用穴６０ｃとガイドピン３０ｄとが果たすガイド機能により、駆動部５２の往復動作もガイドされ、これにより、スイッチユニットＵＳの円滑なスイッチング動作を確保することができる。
【００５５】
また、押下操作部１０ｂは必要最小限の大きさに形成されているので、そのどの位置が押下されても押しボタンユニットＵＢが適切にガイドされる。さらに、ガイドピン３０ｄ、ガイドリブ３０ｅは、基板６０上の水平方向において異なる位置にそれぞれ２箇所設けられ、水平方向については押しボタンユニットＵＢが４箇所でガイドされることになる。しかもいずれも垂直方向に十分な長さを有しているので、これらによるガイド機能は３次元的なものとなる。従って、スイッチング動作が一層安定する。
【００５６】
なお、本実施の形態では、ＬＥＤ４０が存在するスイッチ機構を前提としたが、押しボタンユニットＵＢ及びスイッチユニットＵＳを、ＬＥＤ４０を必要としないスイッチ機構においても流用するようにすれば、部品共通化によるコストダウンが期待できる。
【００５７】
（第２の実施の形態）
図４は、本発明の第２の実施の形態に係る照光式スイッチの押しボタンユニットの外観図である。本第２の実施の形態に係る照光式スイッチＬＳＷ２は、スイッチユニットＵＳと押しボタンユニットＵＢ２とで構成される。本実施の形態では、スイッチユニットＵＳとして第１の実施の形態のものと同一構成のものを採用する。ＬＥＤ４０についても、図示はしないが、第１の実施の形態のものと同一である。押しボタンユニットＵＢ２の構成は、第１の実施の形態における押しボタンユニットＵＢと異なる。
【００５８】
押しボタンユニットＵＢ２は、ランプハウス１３０及び導光体８０で構成される。ランプハウス１３０は白色等の不透明体で構成される。ランプハウス１３０の上部には、操作部構成部１３０ａが一体に形成されている。導光体８０は、ランプハウス１３０に圧入あるいは接着されて取り付けられている。導光体８０は、操作部構成部１３０ａに隣接して操作部構成部１３０ａと同高となっており、操作部構成部１３０ａと共に、押下操作部ＰＳを構成している。押下操作に関し、押下操作部ＰＳが、第１の実施の形態における押下操作部１０ｂに相当する。ＬＥＤ４０は、導光体８０に対応する位置において導光体８０の下方に配置される。
【００５９】
また、ランプハウス１３０には、嵌着部１３０ｃ及び２本のガイドピン１３０ｄが一体に設けられる。嵌着部１３０ｃには、スリット１３０ｃｂが形成され、その他の部分は第１の実施の形態における嵌着部３０ｃと同様に構成される。ガイドピン１３０ｄは、第１の実施の形態におけるガイドピン３０ｄとは位置が異なるが、構成は同様である。なお、ガイドリブ３０ｅに相当するものは設けられていない。基板においては、図示しないが、第１の実施の形態と同様に、端子用穴６０ａのほか、ＬＥＤ４０の端子４１及びガイドピン１３０ｄに対応して端子用穴及びガイド用穴が設けられる。
【００６０】
本実施の形態におけるスイッチ動作は、ガイドリブ３０ｅによるガイド機能がない点を除けば第１の実施の形態と同様である。また、ＬＥＤ４０の光は、導光体８０を通じて視認される。
【００６１】
図５（ｂ）は、本発明の第２の実施の形態に係る照光式スイッチＬＳＷ２の主な構成要素の配置位置を示す模式図である。同図（ｂ）では、図５（ａ）に対応して要素間の相対的位置が示されている。図５（ｂ）に示すように、スイッチユニットＵＳの被駆動部５２の中央から押下操作部ＰＳの中央までの距離をＬ３、被駆動部５２の中央からランプハウス１３０のガイドピン１３０ｄの中央までの距離をＬ４、基板６０からの押下操作部ＰＳの高さをＨ２とする。本実施の形態では、おおよそ、Ｌ３＝７．５ｍｍ、Ｌ４＝７．５ｍｍ、Ｈ２＝２０ｍｍに設定されている。なお、ＬＥＤ４０は、第１の実施の形態と同様に、押下操作部ＰＳの略中央の下方に配置されている。
【００６２】
第２の実施の形態（図５（ｂ））では、第１の実施の形態（図５（ａ））と比較すると、Ｌ３＜Ｌ１で且つＬ４＜Ｌ２となっており、押下操作部ＰＳ及びガイドピン１３０ｄがスイッチユニットＵＳに対してより近接している。また、押下操作部ＰＳの幅（同図左右方向の長さ）が押下操作部１０ｂに比し狭く、押下領域が限定されている。さらに、押下操作部ＰＳとガイドピン１３０ｄとの同図左右方向における位置がほぼ同じとなっている。
【００６３】
これらのことから、押下操作部ＰＳが押下されたとき、押しボタンユニットＵＢ２はガイドピン１３０ｄによるガイドのみによって十分にガイドされ、ガイドリブによるガイドがなくとも、円滑に往復動作可能となっている。
【００６４】
本実施の形態によれば、小型、低コスト、簡単な構成でありながら、良好な視認性及び操作性を確保することに関し、第１の実施の形態と同様の効果を奏するだけでなく、ガイドリブが不要となるため、構成がより簡単になる。また、垂直面５１ａに相当する面を有しないスイッチユニットを採用する場合にも、都合がよい。
【００６５】
付言すれば、上述した第１の実施の形態では、ガイドリブ３２ｅのガイド機能があることで、特に、スイッチユニットＵＳとＬＥＤ４０とを近接配置できないような場合であってもガイド性を確保できるという利点があるといえる。その一方、第２の実施の形態のようにスイッチユニットＵＳとＬＥＤ４０とを近接配置できる場合であっても、より確実なガイド機能を確保する観点からは、ガイドリブを設けるのが望ましい。
【００６６】
なお、第２の実施の形態において、押下操作部ＰＳについては、導光体８０と操作部構成部１３０ａとが同高となっている構成を例示したが、これに限るものでなく、例えば、導光体８０を操作部構成部１３０ａより低くし、専ら操作部構成部１３０ａが押下操作されるように構成してもよい。この場合でも、導光体８０は操作部構成部１３０ａに極めて近接しているので、視認性がよい。
【００６７】
なお、第１、第２の実施の形態において、被駆動部５２の頭部５２ａと嵌着部３０ｃ、１３０ｃとが嵌着により固着状態となる構成を例示したが、これに限定されず、押しボタンユニットＵＢ、ＵＢ２と被駆動部５２とが連動動作可能に結合状態を維持できるように固定、固着乃至結合できる手段であれば採用可能である。
【００６８】
なお、ボタン体１０や導光体８０は、ＬＥＤ４０の光を通過させればよく、半透明等であってもよい。また、ＬＥＤ４０に代えて、他の発光体、またはボタン体１０を照射する機能を有する他の構成を採用してもよい。
【００６９】
なお、スイッチユニットＵＳとしては、ロックされないタイプのスイッチを採用してもよい。
【００７０】
なお、空洞部ＣＡ、及び押下操作部１０ｂ、ＰＳは、ＬＥＤ４０の直上に位置するが、これに限定されず、例えば、光反射部、導光体または光ファイバ等でＬＥＤ４０の光を押下操作部１０ｂ、ＰＳに導くようにすれば、位置をずらした構成も採用可能である。
【００７１】
なお、第１、第２の実施の形態では、押しボタンユニットＵＢにガイドピン、基板６０にそれに対応するガイド用穴を設け、両者が協働してガイド機能を果たすように構成したが、後述する第４の実施の形態でも例示するように、ガイドピンとガイド用穴との配置関係を逆にした構成も採用可能である。また、一方がガイド部で、他方がこれに係合するガイド部係合部として構成してもよく、穴とピンという組み合わせにも限定されない。
【００７２】
配置関係を逆にした場合、例えば、ガイドピンをチップ状部品の１つとして亜鉛、黄銅、銅等の金属で構成し、これを不図示の電子部品自動挿着装置によって基板に挿着した後、基板下面へ抜けるピン下端部を自動半田槽で固着する等によって、ガイドピンを基板に立設する工程を電子部品の半田付けと同時に行うと共に、押しボタンユニットＵＢには上記ガイドピンに対応する挿通穴を設ければよい。ガイドピンを樹脂で構成する場合は、基板に接着してもよく、その際、基板下面へ抜けるピン下端部を位置決めに用いることができる。
【００７３】
（第３の実施の形態）
本発明の第３の実施の形態では、上述した第１の実施の形態に係る照光式スイッチＬＳＷと第２の実施の形態に係る照光式スイッチＬＳＷ２とが基板上に混在して配設される構成を示す。また、第１、第２の実施の形態では、ガイド用穴が基板に形成される構成を例示したが、本第３の実施の形態では、基板とは別に構成されるガイド部材９０を基板に取り付けることで、ガイド用穴６０ｃと同様のガイド用穴が構成される構成を示す。
【００７４】
図６は、本発明の第３の実施の形態に係る照光式スイッチが配置された基板１６０の一部を示す平面図である。図７は、１つのガイド部材９０と基板１６０の対応する部分とを示す斜視図である。
【００７５】
図６に示すように、基板１６０には、複数の照光式スイッチＬＳＷ、ＬＳＷ２のほか、抵抗器９１、ボリューム等の値設定用のフェーダであるスライドスイッチ９２、他のスイッチ９３等の電気部品が複数配設され、さらに、図示はしないが、このほか、ＩＣ（Integrated Circuit）、ＬＳＩ（Large Scale Integratedcircuit）、コンデンサ等の電気部品が表面及び裏面に多数配設される。すなわち、基板１６０は、一般の電気部品のベース部材として用いられる市販の汎用基板を用い、これに各種電気部品や、照光式スイッチＬＳＷ、ＬＳＷ２等を配置したものである。
【００７６】
基板１６０には、照光式スイッチＬＳＷ２用のガイド部として、第２の実施の形態で述べたように、第１の実施の形態におけるガイド用穴６０ｃと同様のガイド穴１６０ｃが形成され、ＬＥＤ４０も配置される。一方、照光式スイッチＬＳＷ用のガイド部として、ガイド用穴６０ｃではなく、ガイド部材９０が設けられる。
【００７７】
図７に示すように、ガイド部材９０は、２つの穴付き挿入ピン９０ａ、９０ｂが連結部９０ｃで連結されて樹脂等で一体に形成される。基板１６０には、穴付き挿入ピン９０ａ、９０ｂに対応して、該穴付き挿入ピン９０ａ、９０ｂに嵌合的な穴１６０ｄ、１６０ｄが形成されている。穴付き挿入ピン９０ａ、９０ｂには、それぞれガイド用穴９０ａａ、９０ｂａが形成されている。穴付き挿入ピン９０ａ、９０ｂを穴１６０ｄ、１６０ｄに挿通嵌合すると、基板１６０の水平方向において、ガイド用穴９０ａａ、９０ｂａが第１の実施の形態におけるガイド用穴６０ｃに対応する位置に位置するようになっている。また、連結部９０ｃは、鍔部９０ａ１、９０ｂ１と共に基板１６０に当接し、ガイド部材９０のがたつきを防止する。ここで、ガイド部材９０の固定を強固にする観点からは、穴付き挿入ピン９０ａ、９０ｂは、穴１６０ｄ、１６０ｄに圧入または接着で固定するのが望ましい。
【００７８】
ガイド用穴９０ａａ、９０ｂａはガイド用穴６０ｃとほぼ同じ内径を有し、従って、ランプハウス３０のガイドピン３０ｄがガイド用穴９０ａａ、９０ｂａに挿通されると、第２の実施の形態と同様に、押しボタンユニットＵＢの往復動作時に、ガイド用穴９０ａａ、９０ｂａ内をガイドピン３０ｄが摺動することで、押しボタンユニットＵＢの動作がガイドされる。特に、ガイド用穴９０ａａ、９０ｂａは、ガイド用穴６０ｃに比し、ガイドピン３０ｄの長手方向に長いので、３次元的ガイドが一層確実となり、押しボタンユニットＵＢの往復行程におけるより広い範囲に亘って良好なガイド性が発揮される。
【００７９】
本実施の形態によれば、小型、低コスト、簡単な構成で良好な視認性及び操作性を確保することに関し、第１の実施の形態と同様の効果を奏するだけでなく、ガイド部材９０を基板１６０とを別部材で構成したので、ガイド用穴９０ａａ、９０ｂａをよりガイド性の高い形状、長さに設定容易であり、広範囲に亘って良好なガイド性を確保して、スイッチ動作を一層良好にすることができる。
【００８０】
なお、スイッチ本体５１に対する被駆動部５２の頭部５２ａの位置精度を高くすることができれば、ガイド部材９０がなくとも十分なガイド機能が得られるので、ガイド部材９０を設けることなく、第１の実施の形態のように、ガイド用穴６０ｃを設ける構成を採用して構成を簡単にするのが望ましい。
【００８１】
なお、本実施の形態では、第１の実施の形態と同様の照光式スイッチＬＳＷに対応してのみガイド部材９０が設けられ、照光式スイッチＬＳＷ２に対応するガイド部としては、第１の実施の形態におけるガイド用穴６０ｃと同様のガイド穴１６０ｃが形成される構成を例示したが、照光式スイッチＬＳＷ２についてもガイド部材９０を適用し、対応してガイド部材９０に配設してもよい。
【００８２】
（第４の実施の形態）
本発明の第４の実施の形態では、基板とは別に構成されるガイド部材を基板に取り付けると共に、ガイドピンとガイド用穴との配置関係を第１〜第３の実施の形態とは逆にした構成を例示する。
【００８３】
図８は、本発明の第４の実施の形態に係る１つの照光式スイッチとそれに対応するガイド部材と基板の対応する部分とを示す斜視図である。
【００８４】
第４の実施の形態に係る照光式スイッチＬＳＷ３は、スイッチユニットＵＳと押しボタンユニットＵＢ３とで構成される。本実施の形態では、スイッチユニットＵＳとして第１の実施の形態のものと同一構成のものを採用する。ＬＥＤ４０についても第１の実施の形態のものと同一である。押しボタンユニットＵＢ３の構成は、第１の実施の形態における押しボタンユニットＵＢと異なる。
【００８５】
また、照光式スイッチＬＳＷ３用のガイド部として、ガイド用穴６０ｃではなく、ガイド部材２９０が用いられる。基板２６０は、市販の汎用基板を用いて構成される。
【００８６】
押しボタンユニットＵＢ３は、第１の実施の形態における押しボタンユニットＵＢに対し、２本のガイドピン３０ｄに相当する部分が、２本の穴付き被ガイド部３０ｄ２となっている点が異なる。各穴付き被ガイド部３０ｄ２の長さは、ガイドピン３０ｄより短く、各穴付き被ガイド部３０ｄ２内には、下方に開口したガイド穴ｈ１が形成されている。その他の構成は押しボタンユニットＵＢと同様である。
【００８７】
ガイド部材２９０は、樹脂等で一体に形成され、連結部２９０ｃから三方に分岐し、各々の分岐先端部に、下方に延びる脚部２９０ｂ（２９０ｂ１、２９０ｂ２、２９０ｂ３）が形成されると共に、脚部２９０ｂ１、２９０ｂ２に対応している２つの分岐先端部には、それぞれ上方に延びるピン部２９０ａ（２９０ａ１、２９０ａ２）が形成される。
【００８８】
基板２６０には、ガイド部材２９０の脚部２９０ｂ１、２９０ｂ２、２９０ｂ３に対応し嵌合的な３つの穴２６０ｄ（２６０ｄ１、２６０ｄ２、２６０ｄ３）が形成されている。ガイド部材２９０の各脚部２９０ｂを対応する穴２６０ｄに挿通嵌合すると、連結部２９０ｃが、脚部２９０ｂ１、２９０ｂ２、２９０ｂ３の上方の鍔部２９０ｅ（２９０ｅ１、２９０ｅ２、２９０ｅ３）と共に基板２６０に当接し、ガイド部材２９０の上下方向の位置が確実に決まる。
【００８９】
ピン部２９０ａは、穴付き被ガイド部３０ｄ２のガイド穴ｈ１内を摺動可能な形状、外径に形成される。従って、各ピン部２９０ａが対応するガイド穴ｈ１に挿通されると、押しボタンユニットＵＢ３の往復動作時に、ガイド穴ｈ１内をピン部２９０ａが摺動することで、押しボタンユニットＵＢ３の動作がガイドされる。すなわち、ピン部２９０ａとガイド穴ｈ１とが協働して、押しボタンユニットＵＢ３の動作ガイド機能を果たす
また、押しボタンユニットＵＢ３の押し切り位置は、第１の実施の形態と同様に、基板２６０にストッパ部ＳＴが当接することで規制され、そのとき、穴付き被ガイド部３０ｄ２と鍔部２９０ｅ１、２９０ｅ２との間に僅かに間隙が生じるように、穴付き被ガイド部３０ｄ２の長さが設定されている。
【００９０】
また、ガイド部材２９０は、３つの脚部２９０ｂによる３点支持により、第３の実施の形態におけるガイド部材９０に比し一層安定的に基板２６０に保持される。これによって、特に、基板２６０に対して垂直方向におけるピン部２９０ａ１、２９０ａ２の傾きが抑制され、ガイド性が向上する。
【００９１】
本実施の形態によれば、小型、低コスト、簡単な構成で良好な視認性及び操作性を確保すること、及び広範囲に亘って良好なガイド性を確保して、スイッチ動作を一層良好にすることに関し、第３の実施の形態と同様の効果を奏することができる。
【００９２】
なお、上記各実施の形態において、良好な視認性を確保するという効果が不要な場合は、ＬＥＤ４０等の発光体を設けない構成、乃至ボタン体１０や導光体８０等の光透過部を設けない構成も採用可能である。
【００９３】
【発明の効果】
以上説明したように、本発明の請求項１、３、５、７、１２、１９によれば、小型、低コスト、簡単な構成でありながら、良好な視認性及び操作性を確保することができる。
【００９４】
本発明の請求項２０によれば、小型、低コスト、簡単な構成でありながら、良好な操作性及び円滑なスイッチング動作を実現することができる。
【図面の簡単な説明】
【図１】本発明の第１の実施の形態に係る照光式スイッチの外観図である。
【図２】照光式スイッチの分解図である。
【図３】照光式スイッチの詳細な構成を示す図である。
【図４】本発明の第２の実施の形態に係る照光式スイッチの押しボタンユニットの外観図である。
【図５】本発明の第１の実施の形態に係る照光式スイッチの主な構成要素の配置位置を示す模式図（図５（ａ））、及び、本発明の第２の実施の形態に係る照光式スイッチの主な構成要素の配置位置を示す模式図（図５（ｂ））である。
【図６】本発明の第３の実施の形態に係る照光式スイッチが配置された基板の一部を示す平面図である。
【図７】１つのガイド部材と基板の対応する部分とを示す斜視図である。
【図８】本発明の第４の実施の形態に係る１つの照光式スイッチとそれに対応するガイド部材と基板の対応する部分とを示す斜視図である。
【符号の説明】
１０  ボタン体（表示部付き被押下体の一部、光通過部の一部）、  １０ｂ、ＰＳ  押下操作部、  ２０  拡散シート（表示部付き被押下体の一部、光拡散シート）、  ３０  ランプハウス（押しボタンユニット本体部）、  ３０ａ  突起部（位置決め用係合部）、  ３０ｃ、１３０ｃ  嵌着部（結合部）、  ３０ｄ、１３０ｄ  ガイドピン（ガイド部係合部）、  ３０ｅ  ガイドリブ（摺接部）、３０ｅａ  摺接面、  ３０ｆ  上面（押下体取付部）、  ３０ｇ  側壁、  ＣＡ  空洞部（対向部、光通過部の一部）、  ４０  ＬＥＤ（発光部）、  ５１  スイッチ本体、  ５１ａ  垂直面、  ５２  被駆動部、  ５２ａ  頭部、  ６０、１６０  基板、  ６０ｃ  ガイド用穴（ガイド部）、  ７０  パネル、  ７０ａ  穴、  ８０  導光体（光通過部の一部）、  ９０  ガイド部材、  ９０ａ、９０ｂ  穴付き挿入ピン（ガイド部）、  ２９０ａ  ピン部（ガイド部）、  ＬＳＷ、ＬＳＷ２  照光式スイッチ、  ＵＢ、ＵＢ２  押しボタンユニット、  ＵＳ  スイッチユニット、  ｈ１  ガイド穴（ガイド部係合部）
【図１】
2004165143.tif 000003
【図２】
2004165143.tif 000004
【図３】
2004165143.tif 000005
【図４】
2004165143.tif 000006
【図５】
2004165143.tif 000007
【図６】
2004165143.tif 000008
【図７】
2004165143.tif 000009
【図８】
2004165143.tif 000010